(57)【要約】【課題】製品の配送工程において、より簡易にかつ確実に、管理温度の逸脱を流通上で監視、管理するシステムを提供する。【解決手段】物流管理システムであって、製品に具備された情報コードを読み取り該情報コードに含まれるデータを発信する情報読取発信装置と、情報読取発信装置から発信されたデータを通信ネットワークを介して蓄積するサーバと、サーバから通信ネットワークを介して蓄積されたデータを参照する端末機器とを有し、情報コードは特定の温度を逸脱した際に変化するパターンからなり、該情報コードを用いる構成とする。【選択図】  図４
2019153307.tif 000002
【特許請求の範囲】
【請求項１】
製品に具備された情報コードを読み取り、該情報コードに含まれるデータを発信する情報読取発信装置と、前記情報読取発信装置から発信されたデータを通信ネットワークを介して蓄積するサーバと、前記サーバから通信ネットワークを介して前記蓄積されたデータを参照する端末機器とを有し、前記情報コードは特定の温度を逸脱した際に変化するパターンからなり、該情報コードを用いることを特徴とする物流管理システム。
【請求項２】
請求項１に記載の物流管理システムであって、前記情報コードの特定の温度を逸脱した際に変化するパターンは前記情報読取発信装置で読み取り可能なパターンであり、該情報コードを用いることを特徴とする物流管理システム。
【請求項３】
請求項１に記載の物流管理システムであって、前記製品は前記情報コードを複数備え、該情報コードの少なくとも一つが、特定の温度範囲を逸脱してもパターンを変化させず、かつ他の少なくとも一つの情報コードが、特定の温度範囲を逸脱した際にパターンを変化させる、複数の情報コードを用いることを特徴とする物流管理システム。
【請求項４】
請求項３に記載の物流管理システムであって、前記情報コードの特定の温度範囲を逸脱した際に変化するパターンは前記情報読取発信装置で読み取り可能なパターンであり、該情報コードを用いることを特徴とする物流管理システム。
【請求項５】
請求項３に記載の物流管理システムであって、前記情報コードの特定の温度範囲を逸脱した際に変化するパターンは前記情報読取発信装置で読み取り不可能なパターンであり、該情報コードを用いることを特徴とする物流管理システム。
【請求項６】
請求項１に記載の物流管理システムであって、前記情報読取発信装置から発信されたデータによって、前記製品の温度逸脱を判定することを特徴とする物流管理システム。
【請求項７】
請求項５に記載の物流管理システムであって、前記情報読取発信装置が前記複数の情報コードから読み取ったデータの数で、前記製品の温度逸脱を判定することを特徴とする物流管理システム。
【請求項８】
請求項１に記載の物流管理システムであって、前記情報コードが、文字、数字、図、バーコード、２次元コード、の少なくとも一つであることを特徴とする物流管理システム。
【請求項９】
請求項３に記載の物流管理システムであって、前記複数の情報コードが、文字、数字、図、バーコード、２次元コード、の少なくとも一つであり、かつ同種であることを特徴とする物流管理システム。
【請求項１０】
請求項３に記載の物流管理システムであって、前記情報読取発信装置は１種類であり、前記複数の情報コードを読み取り、発信することを特徴とする物流管理システム。
【請求項１１】
請求項１に記載の物流管理システムであって、前記製品の配送前及び配送後に、前記情報読取装置で前記情報コードを読み取り、該情報コードに含まれるデータを発信することを特徴とする物流管理システム。
【請求項１２】
請求項１に記載の物流管理システムであって、前記特定の温度を逸脱した際の情報コードの変化が、温度に対して不可逆であることを特徴とする物流管理システム。
【請求項１３】
製品に具備された情報コードを読み取り、該情報コードに含まれるデータを発信する第１の情報読取発信装置と、前記製造業者から前記製品を受領する配送業者が、受領後、配送前及び配送後の前記製品に付与された情報コードを読み取り、該情報コードに含まれるデータを発信する第２の情報読取発信装置と、前記配送業者から前記製品を受領する顧客が、受領後の前記製品に付与された情報コードを読み取り、該情報コードに含まれるデータを発信する第３の情報読取発信装置と、前記第１、第２、第３の情報読取発信装置から発信されたデータを通信ネットワークを介して蓄積するサーバと、前記サーバから通信ネットワークを介して前記蓄積されたデータを参照する端末機器とを有し、前記情報コードは特定の温度を逸脱した際に変化するパターンからなり、該情報コードを用いることを特徴とする物流管理システム。
【請求項１４】
請求項１３に記載の物流管理システムであって、前記第１、第２、第３の情報読取発信装置から発信されたデータによって、前記製品の温度逸脱を判定することを特徴とする物流管理システム。
【請求項１５】
請求項１３に記載の物流管理システムであって、前記製品は前記情報コードを複数備え、該情報コードの少なくとも一つが、特定の温度範囲を逸脱してもパターンを変化させず、かつ他の少なくとも一つの情報コードが、特定の温度範囲を逸脱した際に前記情報読取発信装置で読み取り不可能なパターンに変化し、前記第１、第２、第３の情報読取発信装置が前記複数の情報コードから読み取ったデータの数で、前記製品の温度逸脱を判定することを特徴とする物流管理システム。
【発明の詳細な説明】
【技術分野】
【０００１】
本発明は、温度管理物流管理システムに関する。
【背景技術】
【０００２】
近年、医薬品や食料品等の冷蔵もしくは冷凍状態で配送しなければならない荷物の流通量が増加している。これらの要冷蔵・冷凍荷物の流通過程においては、製造業者から配送業者への引き渡し、配送業者間の引き渡し、最終配送業者から顧客への引き渡しなどの際、または、冷蔵・冷凍設備の故障などにより、荷物が冷蔵・冷凍温度を逸脱し、高温にさらされる可能性がある。長時間高温にさらされた場合、荷物の中身が変質し、品質が損なわれるという懸念がある。そのため、要冷蔵・冷凍荷物が、その流通過程において適正温度で配送されていたかを監視、管理するシステムが求められている。
【０００３】
このような課題に対して、食料品や医薬品等の低温輸送が必要な商品の配送のための配送用ラベル及び配送流通システムが特開２００６−６５３７４（特許文献１）、特表２０１１−５２６３７９（特許文献２）に記載されている。
【０００４】
特許文献１には、基材上に網掛け部、温度管理媒体及び機械的に読み取られる情報Ａ を順に重ねて配してなり、記載された情報Ｂを具備し、配送品と共に配送されるシートと、前記情報Ｂを読み取るデータ取得手段と、前記データ取得手段が得た前記情報Ｂを配送元へ発信する送信手段とを少なくとも具備し、前記温度管理媒体は所定の温度域を境として有色から無色に変化し、変色前には前記情報Ａが視認可能であり、変色後には前記情報Ａが視認困難である配送流通システムであって、前記送信手段から前記情報Ｂを受け取る受信手段と、前記受信手段が受けた前記情報Ｂに基づいて前記配送品に関する再配送指示を出力する報知手段とを備えてなるコンピュータを更に具備する配送流通システム、が記載されている。
【０００５】
特許文献２には、温度しきい値の超過に基づいて着色することによって、第1のバーコードが可読でなくなると同時に、第２のバーコードが機械可読になる品質インジケータを有する品質管理システムが開示されている。
【先行技術文献】
【特許文献】
【０００６】
【特許文献１】特開２００６−６５３７４号公報
【特許文献２】特表２０１１−５２６３７９号公報
【発明の概要】
【発明が解決しようとする課題】
【０００７】
特許文献１には、温度管理媒体が所定の温度域を逸脱すると、その変色により情報Ａが網掛け部と重なり合うことで不可読となることが記載されている。しかし、特許文献１の方法では、情報Ａが不可読となった際、情報Ａが不可読となったのか、読み取りを怠ったのか、判別できない。また、情報Ａが不可読となった場合には、携帯電話で商品ラベル（情報Ｂ）を撮影し、画像をコンピュータに送信し、再送手配を行うことが開示されているが、バーコードリーダと携帯電話の撮影の２種類の情報読取装置が必要であり、システムが複雑である。また、情報Ａが不可読の場合でも、配送業者が情報Ｂを送信しない場合には、流通過程のどの段階で温度範囲を逸脱したのかが判断できない。さらに、温度管理媒体が変色した後でも、情報Ａを網掛け部から分離することで情報Ａは読み取り可能であり、温度範囲を超えた場合でも情報Ａが送信される可能性がある。
【０００８】
特許文献２には、第１のバーコードの不可読と、第２のバーコードの可読が同時に起きると記載されているが、このインジケータでは着色剤の自然拡散による可読、不可読の切り替えであり、温度変化に対するタイムラグがあり、一時的に温度しきい値を超過した場合でも、それが反映されない可能性があり、また、２つのバーコードの可読、不可読を同時に切り替えることは困難である。また、バーコードそのものは変化しないため、温度しきい値を超過した場合でも、着色可能要素とバーコードを分離することで、バーコードは読み取り可能であり、耐偽造性が低い。
【０００９】
本発明の目的は、製品の配送工程において、より簡易にかつ確実に、管理温度の逸脱を流通上で監視、管理するシステムを提供することにある。
【課題を解決するための手段】
【００１０】
上記課題を解決するために、例えば特許請求の範囲に記載の構成を採用する。本願は上記課題を解決する手段を複数含んでいるが、その一例を挙げるならば、物流管理システムであって、製品に具備された情報コードを読み取り該情報コードに含まれるデータを発信する情報読取発信装置と、情報読取発信装置から発信されたデータを通信ネットワークを介して蓄積するサーバと、サーバから通信ネットワークを介して蓄積されたデータを参照する端末機器とを有し、情報コードは特定の温度を逸脱した際に変化するパターンからなり、該情報コードを用いる構成とする。
【発明の効果】
【００１１】
本発明によれば、情報コード自身が変化することで、管理温度の逸脱を流通上でより簡便に確実に監視、管理することが可能となる。上記した以外の課題、構成及び効果は、以下の実施の形態の説明により明らかにされる。
【図面の簡単な説明】
【００１２】
【図１】実施例１における物流管理システムの全容を示す概略模式図である。
【図２】実施例１における物流管理システムに用いられる装置の基本構成図である。
【図３】実施例１における温度逸脱によって色変化の起こるサーモクロミックマーキングの断面図である。
【図４】実施例１における物流管理システムを示す概略模式図である。
【図５】実施例２における物流管理システムを示す概略模式図である。
【図６】実施例３における物流管理システムを示す概略模式図である。
【発明を実施するための形態】
【００１３】
以下、実施例を図面を用いて説明する。
【実施例１】
【００１４】
図１は、本実施例の物流管理システムの全容を示す概略模式図である。図１において、温度管理が必要な製品の製造業者１０１は、製品を配送業者１０２に配送・販売し、同様に、配送業者１０２は配送業者１０３に、配送業者１０３は問屋１０４に、問屋１０４は小売店１０５に、小売店１０５は最終受取人である顧客１０６に製品を配送・販売する。
【００１５】
配送業者は単一でも複数であってもよく、また、問屋１０４、小売店１０５が介在しない場合には、配送業者１０２もしくは１０３から直接小売店１０５に、もしくは直接顧客１０６に、製品が配送される場合もある。点線矢印１０７は製品の流れを示している。また、実線矢印１１０は、情報コードデータの流れを示している。
【００１６】
また、図２に、本実施例の物流管理システムに用いられる装置の基本構成を示す。図２において、情報読取発信装置５００には、読み取った画像を処理する画像処理部５０１と、そのデータを解析するデータ解析部５０２、装置全体を制御する制御部５０３、データを発信する通信処理部５０４を主な構成部とし、通信処理部より発信された読み取りデータは、基地局５０５を経由し、ネットワーク回線１０８を介してサーバ１０９に送られる。サーバに送られ、蓄積されたデータは、ネットワーク回線１０８を介して端末機器であるコンピュータ５０８で閲覧することができる。
【００１７】
図１において、製造業者１０１は配送業者１０２に製品を受け渡す際に、情報コードを情報読取発信装置によって読み取り、ネットワーク回線１０８を通じて読み取ったデータをサーバ１０９に発信する。同様に、配送業者１０２は製品の受け取り時及び配送業者１０３に受け渡す際に、情報コードを読み取り、読み取ったデータをサーバ１０９に発信する。同様に、配送業者１０３は製品の受け取り時及び問屋１０４に製品を受け渡す際に、情報コードを読み取り、サーバ１０９に発信する。同様に、問屋１０４は製品を受け取り時及び小売店１０５に製品を受け渡す際に、情報コードを読み取り、サーバ１０９に発信する。また、同様に、小売店１０５は、製品受け取り時及び顧客販売時に情報コードを読み取り、サーバ１０９に送信する。また、同様に、顧客１０６は製品受け取り時に、情報コードを読み取り、サーバ１０９に送信する。なお、製品の種類によっては、顧客１０６からの情報読取、発信は省略することができる。
【００１８】
製造業者１０１、配送業者１０２、１０３、問屋１０４、小売店１０５、顧客１０６はサーバ１０９に発信・蓄積された情報コードに含まれるデータを直接もしくはコンピュータ等の端末機器を介して閲覧することで、配送状況と、管理温度を逸脱したか否かを判定する。もしくは、サーバ１０９上のデータをコンピュータ等の端末機器上で自動処理し、温度逸脱があったか否かを判定させる。配送業者１０２、１０３、問屋１０４、小売店１０５、顧客１０６は、製品受け取り時に、サーバに蓄積されたデータと、受け取り時に読み取ったデータを比較し、それが異なっている場合には、製品が管理温度を逸脱したとして、受け取り拒否、再送依頼することができる。
【００１９】
本実施例で用いる情報コードは、製品の管理温度を逸脱した際に、そのパターンもしくは色が不可逆的に変化するものを採用する。変化後のパターンもしくは色は、情報読取発信装置で読み取り、読み取り可能でも読み取り不可でも良い。温度逸脱によってパターンや色が変化するものとして、以下説明する。図３は温度逸脱によって色変化の起こるサーモクロミックマーキングの断面図である。図３において、１は基材、２は顕色剤層、３はバリア層、４は発色剤層である。ここで、発色剤とは、医薬品、冷凍食品などの製品に接触する際は無色、或いは淡色であり、酸性或いは塩基性の薬品と接することにより発色する薬剤である。また、顕色剤とは酸性或いは塩基性を示す無色、或いは淡色の薬剤である。そして、バリア層は所定温度以上になると溶解、或いは軟化する材料である。図３に示すように、顕色剤層２と発色剤層４はバリア層３により隔離されており、バリア層３が所定温度以上になると溶解、或いは軟化することにより顕色剤と発色剤が接触し、発色剤が発色する。
【００２０】
なお、図３において、顕色剤層２の上にバリア層３が形成されており、さらにバリア層３の上に発色剤層４が形成されているが、発色剤層４の上にバリア層３が形成され、バリア層３の上に顕色剤層２が形成されていても良い。すなわち、顕色剤層２と発色剤層４がバリア層３により隔離されていればよく、その順番は問わない。
【００２１】
また、パターンの変化は、特定のパターンの色が変わることで実現できる。例えば、下地の色と、色変化する文字の色が同じ色になると文字が見えなくなることでパターンが変化するようにできる。
【００２２】
前記サーモクロミックマーキングは、温度上昇による色変化の際、単に発色するだけでなく文字、数字、図、バーコード、２次元コード等の形で発色することができれば、温度上昇に加えて、情報コードとして、その商品を製造した工場の番号、製造ラインの番号等の情報も管理することが可能となる。その場合は、発色剤を溶解した液をインクとして印字する方法が好適であり、その一つがインクジェットプリンタである。その際用いるインクジェットプリンタは、表面凹凸が大きい製品や、円筒形等、平坦で無い製品へも印字可能な帯電制御方式のインクジェットプリンタが好適である。
【００２３】
帯電制御方式のインクジェットプリンタによるサーモクロミックマーキングの作成方法としては、対象製品上に顕色剤層を形成し、バリア層を設け、その後帯電制御方式のインクジェットプリンタを用いて発色剤層を形成する。もしくは、対象製品上に帯電制御方式のインクジェットプリンタを用いて発色剤層を形成し、バリア層を設け、その後顕色剤層を形成することで作成される。
【００２４】
図４は、本実施例の物流管理システムにおいて、製品が温度管理されていることをどのように監視、検知するかについて示した概略模式図である。すなわち、本実施例の物流管理システムであって、流通ルートでの温度履歴を情報コードとして管理し、情報コードパターンを所定タイミングでチェックすることで製品の温度管理を行う物流管理システムである。
【００２５】
図４において、製品の製造業者２０１は、製品を配送業者２０２に受け渡す際に、製品に付与された情報コード２１０を情報読取発信装置によって読み取り、ネットワーク回線２０８を介してサーバ２０９に発信する。本実施例では製品に付与された情報コード２１０の一例を「９８７６５」としている。同様に、配送業者２０２は製造業者からの製品受け取り時及び製品を配送業者２０３に受け渡す際に、情報コード２１０を読み取りサーバ２０９に発信する。また、同様に、配送業者２０３は、配送業者２０２からの製品の受け取り時及び問屋２０４への製品の受け渡し時に、情報コード２１０を読み取りサーバ２０９に発信する。同様に、問屋２０４は、配送業者２０３からの製品受け取り時に、情報コード２１０を読み取りサーバ２０９に発信する。
【００２６】
ここで、問屋２０４が配送業者２０３から製品受け取り後、小売店２０５に製品を引き渡すまでの間に、製品を管理温度範囲外で管理した場合、情報コード２１０はそのパターンを変える。本実施例ではパターン変化後の情報コード２１１の一例を「○○○○○」としている。問屋２０４は製品を小売店に受け渡す際に、「○○○○○」という情報コード２１１を情報読取発信装置によって読み取り、ネットワーク回線２０８を通じてサーバ２０９に発信する。同様に、小売店２０５は、問屋２０４からの製品受け取り時及び顧客２０６への製品受け渡し時に、情報コード２１１を読み取りサーバ２０９に発信する。同様に、顧客２０６は、小売店２０５から製品受け取り時に、情報コード２１１を読み取りサーバ２０９に発信する。
【００２７】
製造業者２０１は、サーバ２０９に発信された情報コードを直接もしくはコンピュータ等の端末機器を介して参照し、「９８７６５」という情報コード２１０と「○○○○○」という情報コード２１１を比較することで、問屋２０４の製品受け取り後から小売店２０５引き渡し前までに製品の温度逸脱があったことを判断することができる。各流通過程での情報コードの相違は、コンピュータ等の端末機器の表示画面で担当者が目視、もしくは、情報コードを画像認識機能により、自動で判定してもよい。
【００２８】
また、小売店２０５は問屋２０４から製品を受け取る際に、製造業者２０１もしくは配送業者２０２、２０３より事前に得られていた「９８７６５」という情報コード２１０と、問屋２０４から受け取る際の情報コード「○○○○○」という情報コード２１１が異なることを情報読取発信装置上、もしくは、それと接続するコンピュータ上で確認することにより、受け取り前に温度逸脱があったことを知ることができる。
【００２９】
同様に、顧客２０６は、小売店２０５から製品を受け取る際に、製造業者２０１もしくは配送業者２０２、２０３より事前に得られていた「９８７６５」という情報コード２１０と、小売店２０５から受け取る際の情報コード「○○○○○」という情報コード２１１が異なることを情報読取発信装置上、もしくは、それと接続するコンピュータ等の端末機器上で確認することにより、受け取り前に温度逸脱があったことを知ることができる。
【００３０】
このように、流通ルートでの温度履歴を情報コードとして管理し、情報コードパターンを所定タイミングでチェックする物流管理システムとすることで、管理温度の逸脱を流通上でより簡便に確実に監視、管理することが可能となる。
【００３１】
また、情報コードそのものが変化することで、耐偽造性が高くなる。すなわち、自身の温度変化によってパターンもしくは色が変化する情報コードを物流管理システムに用いることで、情報コードそのものが変化するので耐偽造性が高くなる。
【００３２】
なお、本実施例の情報読取発信装置の例として、画像撮影送信機能付きの携帯電話、スマートフォン、通信機能付きのバーコードリーダ、通信機能付きのスキャナなどが挙げられる。また、情報コード２１０と情報コード２１１を読み取る装置は、同一でも異なっていてもよい。また、本実施例では、情報コードはバーコードとして説明したが、文字、数字、図、２次元コード等でもよい。
【００３３】
以上のように、本実施例は、物流管理システムであって、製品に具備された情報コードを読み取り該情報コードに含まれるデータを発信する情報読取発信装置と、情報読取発信装置から発信されたデータを通信ネットワークを介して蓄積するサーバと、サーバから通信ネットワークを介して蓄積されたデータを参照する端末機器とを有し、情報コードは特定の温度を逸脱した際に変化するパターンからなり、該情報コードを用いる構成とする。
【００３４】
また、上記物流管理システムは、情報コードの特定の温度を逸脱した際に変化するパターンは情報読取発信装置で読み取り可能なパターンである情報コードを用いる。
【００３５】
また、上記物流管理システムは、情報読取発信装置から発信されたデータによって、製品の温度逸脱を判定する。
【００３６】
また、物流管理システムであって、製品に具備された情報コードを読み取り、該情報コードに含まれるデータを発信する第１の情報読取発信装置と、製造業者から製品を受領する配送業者が、受領後、配送前及び配送後の製品に付与された情報コードを読み取り、該情報コードに含まれるデータを発信する第２の情報読取発信装置と、配送業者から製品を受領する顧客が、受領後の前記製品に付与された情報コードを読み取り、該情報コードに含まれるデータを発信する第３の情報読取発信装置と、第１、第２、第３の情報読取発信装置から発信されたデータを通信ネットワークを介して蓄積するサーバと、サーバから通信ネットワークを介して蓄積されたデータを参照する端末機器とを有し、情報コードは特定の温度を逸脱した際に変化するパターンからなり、該情報コードを用いる構成とする。
【００３７】
このように、本実施例によれば、情報コード自身が変化することで、管理温度の逸脱を流通上でより簡便に確実に監視、管理することが可能となる。
【実施例２】
【００３８】
図５は、本実施例の物流管理システムにおいて、製品が温度管理されていることをどのように監視、検知するかについて示した概略模式図である。
【００３９】
図５において、製品の製造業者３０１は、製品を配送業者３０２に受け渡す際に、製品に付与された情報コード３１０と３１１の２つの情報コードを情報読取発信装置によって読み取り、ネットワーク回線３０８を介してサーバ３０９に発信する。本実施例では製品に付与された情報コード３１０、３１１の一例をバーコードとしている。また、情報読取発信装置はバーコードリーダである。なお、情報コード３１０と３１１は同一でも、異なっていてもよい。ここで、情報コード３１０は管理温度範囲を逸脱しても不変であるが、情報コード３１１は管理温度範囲を逸脱すると、そのパターンをバーコードリーダ可読の他の情報コード３１２に変える。
【００４０】
配送業者３０２は製造業者３０１からの製品受け取り時及び問屋３０３への製品の受け渡し時に、情報コード３１０、３１１を情報読取発信装置によって読み取り、ネットワーク回線３０８を介してサーバ３０９に発信する。同様に、問屋３０３は、配送業者３０２からの製品受け取り時に、情報コード３１０、３１１を読み取りサーバ３０９に発信する。
【００４１】
ここで、問屋３０３が配送業者３０２から製品受け取り後、小売店３０４に製品を引き渡すまでの間に、製品を管理温度範囲外で管理した場合、情報コード３１１はそのパターンを変える。本実施例では情報コード３１１が情報読取発信装置によって読取可能なパターン３１２となっている。問屋３０３は小売店３０４に製品を受け渡す際に、情報コード３１１と３１２を情報読取発信装置によって読み取り、ネットワーク回線３０８を介してサーバ３０９に発信する。以降、同様に、小売店３０４は、問屋３０３からの製品受け取り時及び顧客３０５への製品受け渡し時に、情報コード３１１と３１２を読み取りサーバ３０９に発信する。同様に、顧客３０５は、小売店３０４から製品受け取り時に、情報コード３１１と３１２を読み取りサーバ３０９に発信する。
【００４２】
製造業者３０１、配送業者３０２、問屋３０３、小売店３０４、顧客３０５は、サーバ３０９に発信・蓄積された情報コードを直接もしくはコンピュータ等の端末機器を介して参照し、情報コード３１１と３１２を比較することで、問屋３０３の製品受け取り後から小売店３０４に引き渡し前までに製品の温度逸脱があったことを判断することができる。
【００４３】
各流通過程での情報コードの相違は、コンピュータ等の端末機器の表示画面で担当者が目視、もしくは、コンピュータ等の端末機器が自動で判定してもよい。
【００４４】
また、小売店３０４は問屋３０３から製品を受け取る際に、製造業者３０１もしくは配送業者３０２、３０３より事前に得られていた情報コード３１１と、問屋３０３から受け取る際の情報コード３１２が異なることを情報読取発信装置上、もしくは、それと接続するコンピュータ等の端末機器で確認することにより、受け取り前に温度逸脱があったことを知ることができる。同様に、顧客３０５は、小売店３０４から製品を受け取る際に、製造業者３０１もしくは配送業者３０２より事前に得られていた情報コード３１１と、問屋３０３から受け取る際の情報コード３１２が異なることを情報読取発信装置上、もしくは、それと接続するコンピュータ等の端末機器上で確認することにより、受け取り前に温度逸脱があったことを知ることができる。
【００４５】
また、管理温度逸脱によって変化しない情報コード３１０を備えたことで、情報の読み取りを怠ったのではなく、情報コード３１１が可読の３１２にその流通過程で変化したことを示すことができる。
【００４６】
また、情報コード３１０、３１１、３１２をいずれも商品コードとすることで、同種のコードリーダにより読み取ることが可能となる。この場合、情報コード３１０、３１１、３１２は、同種の情報読取装置で読み取れればよく、必ずしも同種の商品コードでなくてもよい、例えば、一方がＪＡＮコードで、他方が２次元コード、ＱＲコード（登録商標）でも良い。さらに小売店３０４、顧客３０５は、情報コード読み取り時に、情報コードが読み取りによって温度逸脱を検知した場合には、製品の受け取りを拒否し、再送を依頼することも可能である。また、情報コードそのものが変化することで、耐偽造性が高い。なお、以上の説明では情報コードは２つとしたが、複数でも良い。
【００４７】
以上のように、本実施例は、物流管理システムであって、製品は情報コードを複数備え、該情報コードの少なくとも一つが、特定の温度範囲を逸脱してもパターンを変化させず、かつ他の少なくとも一つの情報コードが、特定の温度範囲を逸脱した際にパターンを変化させる、複数の情報コードを用いる構成とする。
【００４８】
また、情報コードの特定の温度範囲を逸脱した際に変化するパターンは情報読取発信装置で読み取り可能なパターンとする。
【００４９】
よって、本実施例によれば、管理温度逸脱によって変化しない情報コードと変化する情報コードを備えたことで、情報の読み取りを怠ったどうかを判断でき、管理温度の逸脱を流通上で確実に監視、管理することが可能となる。
【実施例３】
【００５０】
図６は、本実施例の物流管理システムにおいて、製品が温度管理されていることをどのように監視するかについて示した概略模式図である。
【００５１】
図６において、製品の製造業者４０１は、製品を配送業者４０２に受け渡す際に、製品に付与された情報コード４１０と４１１の２つの情報コードを情報読取発信装置によって読み取り、ネットワーク回線４０８を介してサーバ４０９に発信する。本実施例では製品に付与された情報コード４１０、４１１の一例をバーコードとしている。また、情報読取発信装置はバーコードリーダである。なお、情報コード４１０と４１１は同一でも、異なっていてもよい。ここで、情報コード４１０は管理温度範囲を逸脱しても不変であるが、情報コード４１１は管理温度範囲を逸脱すると、バーコードリーダで不可読なパターンに変化する。
【００５２】
配送業者４０２は製造業者からの製品受け取り時及び問屋４０３への製品の受け渡し時に、情報コード４１０、４１１を情報読取発信装置によって読み取り、ネットワーク回線４０８を介してサーバ４０９に発信する。同様に、問屋４０３は、配送業者４０２からの製品受け取り時に、情報コード４１０、４１１を読み取りサーバ４０９に発信する。
【００５３】
ここで、問屋４０３が配送業者４０２から製品受け取り後、小売店４０４に製品を引き渡すまでの間に、製品を管理温度範囲外で管理した場合、情報コード４１１は不可読なパターン４１２に変化する。問屋４０３は小売店４０４に製品を受け渡す際に、情報コード４１１がバーコートリーダによって不可読なため、情報コード４１０のみを情報読取発信装置によって読み取り、ネットワーク回線４０８を介してサーバ４０９に発信する。同様に、小売店４０４は、問屋４０３からの製品受け取り時及び顧客４０４への製品受け渡し時に、情報コード４１０のみを読み取りサーバ４０９に発信する。同様に、顧客４０５は、小売店４０４から製品受け取り時に、情報コード４１０のみを読み取りサーバ４０９に発信する。
【００５４】
製造業者４０１は、サーバ４０９に発信された情報コードを直接もしくはコンピュータ等の端末機器を介して参照し、各流通過程で送られてきた情報コードの数によって、問屋４０３の製品受け取り後から小売店４０４に引き渡し前までに製品の温度逸脱があったことを判断することができる。各流通過程での情報コードの数の相違は、コンピュータ等の端末機器の表示画面で担当者が目視、もしくは、コンピュータ等の端末機器が自動で判定してもよい。
【００５５】
また、小売店４０４は問屋４０３から製品を受け取る際に、情報コード４１０しか情報読取発信装置で読み取れないこと、もしくは目視によって、受け取り前に温度逸脱があったことを知ることができる。同様に、顧客４０５は、小売店４０４から製品を受け取る際に、情報コード４１０しか情報読取発信装置で読み取れないこと、もしくは目視によって、受け取り前に温度逸脱があったことを知ることができる。
【００５６】
また、管理温度逸脱によって変化しない情報コード４１０を備えたことで、情報の読み取りを怠ったのではなく、情報コード４１１が不可読の４１２にその流通過程で変化したことを示すことができる。
【００５７】
また、情報コード４１０、４１１をいずれも商品コードとすることで、同種のコードリーダにより読み取ることが可能となる。この場合、情報コード４１０、４１１は、同種の情報読取装置で読み取れればよく、必ずしも同種の商品コードでなくてもよい、例えば、一方がＪＡＮコードで、他方が２次元コード、ＱＲコードでも良い。さらに小売店４０４、顧客４０５は、情報コード読み取り時に、情報コードが読み取れないことで温度逸脱を検知した場合には、製品の受け取りを拒否し、再送を依頼することも可能である。また、情報コードそのものが変化することで、耐偽造性が高い。
【００５８】
以上のように、本実施例は、物流管理システムであって、製品は情報コードを複数備え、該情報コードの少なくとも一つが、特定の温度範囲を逸脱してもパターンを変化させず、かつ他の少なくとも一つの情報コードが、特定の温度範囲を逸脱した際に情報読取発信装置で読み取り不可能なパターンに変化させる、複数の情報コードを用いる構成とする。
【００５９】
また、情報読取発信装置が複数の情報コードから読み取ったデータの数で、製品の温度逸脱を判定するように構成する。
【００６０】
よって、本実施例によれば、管理温度逸脱によって変化しない情報コードと変化する情報コードを備えたことで、情報の読み取りを怠ったどうかを判断でき、管理温度の逸脱を流通上で確実に監視、管理することが可能となる。
【００６１】
本発明は上記した実施例に限定されるものではなく、様々な変形例が含まれる。また、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００６２】
１…基材、２…顕色剤層、３…バリア層、４…発色剤層、１０１、２０１、３０１、４０１…製造業者、１０２、１０３、２０２、２０３、３０２、４０２…配送業者、１０４、２０４、３０３、４０３…問屋、１０５、２０５、３０４、４０４…小売店、１０６、２０６、３０５、４０５…顧客、１０７…製品の流れ、１１０…情報の流れ、１０８、２０８、３０８、４０８…ネットワーク、１０９、２０９、３０９、４０９…サーバ、２１０、２１１、３１０、３１１、３１２、４１０、４１１、４１２…情報コード、５００…情報読取発信装置、５０１…画像処理部、５０２…データ解析部、５０３…制御部、５０４…通信処理部、５０５…基地局、５０８…コンピュータ
【図１】
2019153307.tif 000003
【図２】
2019153307.tif 000004
【図３】
2019153307.tif 000005
【図４】
2019153307.tif 000006
【図５】
2019153307.tif 000007
【図６】
2019153307.tif 000008
【手続補正書】
【提出日】平成31年4月4日(2019.4.4)
【手続補正１】
【補正対象書類名】明細書
【補正対象項目名】００４１
【補正方法】変更
【補正の内容】
【００４１】
ここで、問屋３０３が配送業者３０２から製品受け取り後、小売店３０４に製品を引き渡すまでの間に、製品を管理温度範囲外で管理した場合、情報コード３１１はそのパターンを変える。本実施例では情報コード３１１が情報読取発信装置によって読取可能なパターンの情報コード３１２となっている。問屋３０３は小売店３０４に製品を受け渡す際に、情報コード３１０と３１２を情報読取発信装置によって読み取り、ネットワーク回線３０８を介してサーバ３０９に発信する。以降、同様に、小売店３０４は、問屋３０３からの製品受け取り時及び顧客３０５への製品受け渡し時に、情報コード３１０と３１２を読み取りサーバ３０９に発信する。同様に、顧客３０５は、小売店３０４から製品受け取り時に、情報コード３１０と３１２を読み取りサーバ３０９に発信する。
【手続補正２】
【補正対象書類名】特許請求の範囲
【補正対象項目名】全文
【補正方法】変更
【補正の内容】
【特許請求の範囲】
【請求項１】
製品に具備された情報コードを読み取り、該情報コードに含まれるデータを発信する情報読取発信装置と、
前記情報読取発信装置から発信されたデータを通信ネットワークを介して蓄積するサーバと、
前記サーバから通信ネットワークを介して前記蓄積されたデータを参照する端末機器とを有し、
前記製品は前記情報コードを複数備え、該情報コードの少なくとも一つが、特定の温度を逸脱しても変化しないパターンからなり、かつ他の少なくとも一つの情報コードは特定の温度を逸脱した際に変化するパターンからなり、
前記情報読取発信装置は、前記特定の温度を逸脱しても変化しないパターンと前記特定の温度を逸脱した際に変化するパターンとの両方を読み取り、
前記情報読取発信装置から発信されたデータによって、前記製品の温度逸脱を判定することを特徴とする物流管理システム。
【請求項２】
請求項１に記載の物流管理システムであって、
前記複数の情報コードが、文字、数字、図、バーコード、２次元コード、の少なくとも一つであり、かつ同種であることを特徴とする物流管理システム。
【請求項３】
請求項１に記載の物流管理システムであって、
前記情報読取発信装置は１種類であり、前記複数の情報コードを読み取り、発信することを特徴とする物流管理システム。
【請求項４】
請求項１に記載の物流管理システムであって、
前記製品の配送前及び配送後に、前記情報読取発信装置で前記情報コードを読み取り、該情報コードに含まれるデータを発信することを特徴とする物流管理システム。
【請求項５】
製造業者が製品に具備された情報コードを読み取り、該情報コードに含まれるデータを発信する第１の情報読取発信装置と、
前記製造業者から前記製品を受領する配送業者が、受領後、配送前及び配送後の前記製品に付与された情報コードを読み取り、該情報コードに含まれるデータを発信する第２の情報読取発信装置と、
前記配送業者から前記製品を受領する顧客が、受領後の前記製品に付与された情報コードを読み取り、該情報コードに含まれるデータを発信する第３の情報読取発信装置と、
前記第１、第２、第３の情報読取発信装置から発信されたデータを通信ネットワークを介して蓄積するサーバと、
前記サーバから通信ネットワークを介して前記蓄積されたデータを参照する端末機器とを有し、
前記製品は前記情報コードを複数備え、該情報コードの少なくとも一つが、特定の温度を逸脱しても変化しないパターンからなり、かつ他の少なくとも一つの情報コードは特定の温度を逸脱した際に変化するパターンからなり、
前記第１、第２、第３の情報読取発信装置は、前記特定の温度を逸脱しても変化しないパターンと前記特定の温度を逸脱した際に変化するパターンとの両方を読み取り、
前記第１、第２、第３の情報読取発信装置から発信されたデータによって、前記製品の温度逸脱を判定することを特徴とする物流管理システム。